(57)【要約】【課題】ＯＣＢモードを有する液晶表示装置において、液晶のベンド転移を速くするための液晶表示装置及びその駆動方法について開示する。【解決手段】液晶のベンド転移期間にソースドライバからパルス波形の電圧を液晶の画素電極に印加する。前記パルス波形の最高電圧は、５Ｖ〜７Ｖであり、周波数は１００Ｈｚ〜５００Ｈｚである。したがって、従来のような高電圧の印加に用いられたＤＣ−ＤＣコンバータを使用しないので、その分、部品費用の節減効果があり、しかも、低い初期ベンド転移電圧を使用するので、消費電力が減少するという効果がある。【選択図】  図６
2006171679.tif 000002
【特許請求の範囲】
【請求項１】
多数のスキャンラインと多数のデータラインとが交差する領域に設けられ、共通電極、画素電極及び液晶よりなる液晶キャパシタを備えた多数の画素回路を具備する液晶表示パネルと、
前記多数のスキャンラインを介して前記多数の画素回路を選択するためのゲート電圧を印加するスキャンドライバと、
前記多数のデータラインを介して前記多数の画素回路にデータ電圧を印加するソースドライバと、
前記液晶表示パネルの光源となるバックライト部と、
前記バックライト部にバックライト電圧を印加する光源制御器と、
前記スキャンドライバ、前記データドライバ及び前記光源制御器の動作を制御するための制御信号を印加するタイミング制御部と、を備え、
前記ソースドライバは、初期駆動時に、一定時間パルス波形の電圧を前記多数の画素回路に印加することを特徴とする液晶表示装置。
【請求項２】
前記液晶は、ＯＣＢ（Optically Compensated Bend）液晶であることを特徴とする請求項１に記載の液晶表示装置。
【請求項３】
前記一定の時間は、前記液晶がスプレイ状態からベンド状態に転移されるまでの時間であることを特徴とする請求項２に記載の液晶表示装置。
【請求項４】
前記一定の時間は、０．５秒〜１秒であることを特徴とする請求項３に記載の液晶表示装置。
【請求項５】
前記パルス波形の電圧は、最大電圧が５Ｖ乃至７Ｖであることを特徴とする請求項２に記載の液晶表示装置。
【請求項６】
前記パルス波形の電圧は、最低電圧が０Ｖであることを特徴とする請求項５に記載の液晶表示装置。
【請求項７】
前記共通電極は、グランドに接続されることを特徴とする請求項５に記載の液晶表示装置。
【請求項８】
前記パルス波形の電圧は、１００Ｈｚ〜５００Ｈｚの周波数を有することを特徴とする請求項２に記載の液晶表示装置。
【請求項９】
前記タイミング制御部は、前記パルス波形の電圧が印加される間、前記バックライト部の光源をオフとするように、前記光源制御器に制御信号を与えることを特徴とする請求項２に記載の液晶表示装置。
【請求項１０】
前記バックライト部は、レッド、グリーン及びブルーの光を順次発光するレッドＬＥＤ、グリーンＬＥＤ及びブルーＬＥＤから構成されることを特徴とする請求項２に記載の液晶表示装置。
【請求項１１】
前記バックライト部は、ホワイト光を発光するホワイトＬＥＤまたはＣＣＦＬ（Cold Cathode Fluorescence Lamp）から構成されることを特徴とする請求項２に記載の液晶表示装置。
【請求項１２】
前記液晶表示装置は、前記バックライト部から発光する光をフィルタリングするレッド、グリーン及びブルーのカラーフィルタをさらに備えることを特徴とする請求項１１に記載の液晶表示装置。
【請求項１３】
前記画素回路の各々は、前記スキャンラインの選択電圧に応答して、前記データラインを介して伝達されるパルス波形の電圧またはデータ電圧を前記画素電極に伝達するスイッチングトランジスタと、
前記パルス波形の電圧またはデータ電圧を蓄積する蓄積キャパシタとをさらに含むことを特徴とする請求項２に記載の液晶表示装置。
【請求項１４】
画素電極と共通電極及び液晶よりなる液晶キャパシタを備えた多数の画素回路を具備し、前記多数の画素回路が多数のスキャンラインと多数のデータラインとが交差する領域に配置された液晶表示パネルと、前記多数の画素回路にゲート電圧を印加するスキャンドライバと、前記多数の画素回路にデータ電圧を印加するソースドライバと、前記液晶表示パネルの裏面に配置されたバックライト部に駆動電圧を印加する光源制御器とを備える液晶表示装置の駆動方法であって、
（ａ）前記ソースドライバから一定時間パルス波形の電圧を出力する段階と、
（ｂ）一定時間の経過後、前記ソースドライバからデータ電圧を出力する段階と、
（ｃ）前記液晶表示パネルに前記バックライト部の光源を印加する段階と、を備えることを特徴とする液晶表示装置の駆動方法。
【請求項１５】
前記液晶は、ＯＣＢ液晶であることを特徴とする請求項１４に記載の液晶表示装置の駆動方法。
【請求項１６】
前記一定の時間は、前記液晶がスプレイ状態からベンド状態に転移されるまでの時間であることを特徴とする請求項１５に記載の液晶表示装置の駆動方法。
【請求項１７】
前記一定の時間は、０．５秒〜１秒であることを特徴とする請求項１５に記載の液晶表示装置の駆動方法。
【請求項１８】
前記パルス波形の電圧は、最大電圧が５Ｖ〜７Ｖであることを特徴とする請求項１５に記載の液晶表示装置の駆動方法。
【請求項１９】
前記パルス波形の電圧は、最低電圧が０Ｖであることを特徴とする請求項１８に記載の液晶表示装置の駆動方法。
【請求項２０】
前記段階（ａ）において、前記共通電極は、グランドに接地されることを特徴とする請求項１８に記載の液晶表示装置の駆動方法。
【請求項２１】
前記段階（ａ）及び段階（ｂ）において、前記スキャンドライバは、前記多数のスキャンラインを介して多数の画素回路にゲート電圧を印加することを特徴とする請求項１５に記載の液晶表示装置の駆動方法。
【請求項２２】
前記パルス波形の電圧は、１００Ｈｚ〜５００Ｈｚの周波数を有することを特徴とする請求項１５に記載の液晶表示装置の駆動方法。
【請求項２３】
前記バックライト部は、レッド、グリーン及びブルーの光を順次発光するレッドＬＥＤ、グリーンＬＥＤ及びブルーＬＥＤから構成されることを特徴とする請求項１５に記載の液晶表示装置の駆動方法。
【請求項２４】
前記バックライト部は、ホワイト光を発光するホワイトＬＥＤまたはＣＣＦＬ（Cold Cathode Fluorescence Lamp）から構成されることを特徴とする請求項１５に記載の液晶表示装置の駆動方法。
【請求項２５】
前記液晶表示装置は、前記バックライト部から発光する光をフィルタリングするレッド、グリーン及びブルーのカラーフィルタをさらに備えることを特徴とする請求項２４に記載の液晶表示装置の駆動方法。
【請求項２６】
前記画素回路の各々は、前記スキャンラインの選択電圧に応答して前記データラインを介して伝達されるパルス波形の電圧またはデータ電圧を前記画素電極に伝達するスイッチングトランジスタと、
前記パルス波形の電圧またはデータ電圧を蓄積する蓄積キャパシタとをさらに含むことを特徴とする請求項１５に記載の液晶表示装置の駆動方法。
【発明の詳細な説明】
【技術分野】
【０００１】
本発明は、液晶表示装置（ＬＣＤ）に関し、より詳細には、ＯＣＢ（Optically Compensated Bend 、以下「ＯＣＢ」という）モードを有する液晶表示装置において、液晶のベンド転移を速くするためにパルス波形の電圧を印加する液晶表示装置及びその駆動方法に関する。
【背景技術】
【０００２】
一般的に、液晶表示装置（ＬＣＤ）は、陰極線管に比べて極めて薄く、軽く、且つ電力消費が少ないことから、携帯電話、コンピュータ及びＰＤＡ（Personal Digital Assistance）などのような携帯型情報機器の画面表示素子として広く用いられており、電磁波の放出が少なくて、現在ディスプレイ分野において主流となっている。
【０００３】
かかる液晶表示装置は、画面を見る方向によって明暗や色相が異なるので、狭い視野角を有するという短所がある。この短所を克服する方法がいろいろ提案されている。
【０００４】
例えば、ＬＣＤの視野角を向上させるためには、導光板の表面にプリズム板を取り付けることによって、バックライトから入射光の直進性を向上させ、垂直方向の輝度を３０％以上向上させる方式が実用化されてきている。また、ネガティブ光補償板を取り付けることによって、視野角を高める方法を適用する場合もある。
【０００５】
また、インプレーンスイッチングモードが開発され、上下左右の視野角が１６０゜とほぼ陰極線管水準の広視野角化が達成されたが、この方法では、開口率が相対的に低いので、これに対する改善策が必要である。
【０００６】
その他、ＯＣＢ方式、ＰＤＬＣ（Polymer Dispersed Liquid Crystal）方式、ＤＨＦ（Deformed Helix Ferroelectric）方式などを薄膜トランジスタ（ＴＦＴ）で駆動して、視野角を改善する努力など多くの試みがなされている。
【０００７】
特に、ＯＣＢモードの場合、液晶応答速度が速く、広視野角の特性を有しているという長所があることから、現在研究開発が活発に進行中である。
【０００８】
図１は、一般的なＯＣＢモードの動作を説明するための液晶状態図である。図１を参照すれば、上部板電極と下部板電極との間に位置する液晶の初期配向状態は、ホモジニアス状態であり、上下部板電極に所定の電圧を印加すれば、転移スプレイ及び非対称スプレイを経てベンド状態に変換された後、ＯＣＢモードで動作する。
【０００９】
図１に示すように、一般的に、ＯＣＢ液晶セルは、傾斜角（tilt angle）が約１０〜２０゜、液晶セルの厚みが４〜７［μｍ］となるように製作され、配向膜を同一の方向にラビングする方法を適用している。液晶層の真中での液晶分子の配列は、左右対称となるので、特定の電圧以下では傾斜角が０゜であり、特定の電圧以上では、傾斜角が９０゜となるので、初期に大きい電圧を印加して、液晶層の中心部において液晶分子の傾斜角を９０゜にし、印加電圧を異にして、配向膜と液晶層の中間の液晶分子を除いた残りの液晶分子のチルト変化により、液晶層を通る光の偏光を変調する。
【００１０】
中心部の液晶分子の傾斜角を０゜〜９０゜に配列するのにかかる時間が通常数秒であり、バックフローがなく、弾性係数が大きい反り変形であるから、反応時間は１０［μsec］程度と非常に速いという特徴がある。
【００１１】
一般的に、ＯＣＢモードのオン状態において、転移スプレイから非対称スプレイへの変換は速く、転移スプレイからベンド状態への変換は、比較的速いのに対して、非対称スプレイからベンド状態への変換は遅い。
【００１２】
また、ＯＣＢモードのオフ状態において、ベンド状態からホモジニアス状態への変換は遅いのに対して、転移スプレイからホモジニアス状態への変換、または非対称スプレイからホモジニアス状態への変換は速い。
【００１３】
図２は、液晶をベンド配向させるのに必要な転移電圧と転移時間の関係を示す図である。図２を参照すれば、横軸は液晶がベンド配向するための転移電圧Ｖｔを示し、縦軸は前記転移電圧に対する液晶のベンド転移時間Ｔを示す。液晶を確実にベンド転移させるためには、転移電圧Ｖｔ及び転移期間Ｔが図２に示す実線より上の領域に来るように、両者の値を決定する。但し、転移時間Ｔが長くなれば、画面の表示が開始されるまでの待機時間が長くなり、そのあいだは印加電圧が高いため、消費電力も高まる。また、転移電圧Ｖｔが高ければ、消費電力が増大し、これにより容量が大きい電源が必要となる。したがって、実線付近で転移電圧Ｖｔ及び転移期間Ｔを設定することが好ましい。例えば、転移電圧Ｖｔを１５Ｖに設定すれば、転移期間は５秒で終わる。
【００１４】
上述したように、ＯＣＢモードのためのベンド配向を得るまでは、一定の時間、すなわち転移時間Ｔがかかるが、このような転移時間Ｔを短縮するためには、前記図２に示すように、液晶の両端に高電圧を印加しなければならない。
【００１５】
図３は、従来の液晶表示装置の液晶に印加される電圧差に対する波形を示すタイミング図である。
【００１６】
図３を参照すれば、初期ベンド転移のための転移時間を短縮させるために、初期に約１５Ｖ以上のＤＣ転移電圧Ｖｔを転移期間Ｔに印加し、その後、画面表示期間には、一般的な映像信号による波形のデータ電圧を印加することで、イメージ表示を行なう。このように転移電圧Ｖｔを徐々に大きくすれば、転移時間Ｔを一層短縮させると予想されるが、一般的に、ＬＣＤは微細構造であるから、液晶キャパシタの両電極間の耐圧を超過する電圧は印加できない。また、高い電圧を印加するためには、それに相当する電源を具備する必要があり、例えば、携帯用端末機のモニターとしてＬＣＤを利用する場合、機器の大型化につながる。したがって、２０Ｖ以上の電圧を印加することは、現実的でなく、転移時間は、少なくとも１秒を確保する必要がある。
【００１７】
上述したように、従来の液晶表示装置は、初期ベンド転移を高速化するために、液晶の両端に約１５Ｖ以上の高電圧を印加する構成とした。このような高電圧の印加時において、電源供給源には、既存のＬＣＤモジュールを用いてデータ電圧を伝達するソースドライバから供給したり、ＤＣ−ＤＣコンバータなどのようなＤＣ電圧供給回路を特別に構成して、共通電極に高電圧を印加する方法がある。
【００１８】
しかしながら、前記ソースドライバから高電圧を印加する時、高電圧の印加に耐えることができる耐電圧の設計が必要である。既存のソースドライバの場合、約５．５Ｖまでの耐電圧設計がなされているが、初期ベンド転移のためには、１５Ｖ以上の高電圧の印加が必要なので、ソースドライバの設計時、耐電圧設計を考慮する場合、ソースドライバの大きさ及び製造コストが上昇するという問題点がある。
【００１９】
また、共通電極を用いて高電圧を印加する場合、液晶表示パネルの設計時、高電圧が印加され得るように、別に配線を設計しなければならないという製造工程の複雑化と、ＤＣ−ＤＣコンバータなどのようなＤＣ電圧供給回路を特別に構成しなければならないので、コストアップをもたらすという問題点がある。
【発明の開示】
【発明が解決しようとする課題】
【００２０】
本発明の目的は、ＯＣＢモード液晶のベンド転移のための初期電圧を、パルス波形の電圧として印加することにより、転移時間を短縮させることができる液晶表示装置及びその駆動方法を提供することにある。
【課題を解決するための手段】
【００２１】
前記目的を達成するために、本発明の実施例に係る液晶表示装置は、多数のスキャンラインと多数のデータラインとが交差する領域に位置し、共通電極、画素電極及び液晶よりなる液晶キャパシタを備えた多数の画素回路を具備する液晶表示パネルと、前記多数のスキャンラインを介して前記多数の画素回路を選択するためのゲート電圧を印加するスキャンドライバと、前記多数のデータラインを介して前記多数の画素回路にデータ電圧を印加するソースドライバと、前記液晶表示パネルに光源を印加するバックライト部と、前記バックライト部にバックライト電圧を印加する光源制御器と、前記スキャンドライバ、前記データドライバ及び前記光源制御器の動作を制御するための制御信号を印加するタイミング制御部と、を備え、前記ソースドライバは、初期駆動時に、一定時間パルス波形の電圧を前記多数の画素回路に印加することを特徴とする。
【００２２】
また、本発明の他の実施例に係る液晶表示装置の駆動方法は、画素電極と共通電極及び液晶よりなる液晶キャパシタを備えた多数の画素回路を具備し、前記多数の画素回路が多数のスキャンラインと多数のデータラインとが交差する領域に配置された液晶表示パネルと、前記多数の画素回路にゲート電圧を印加するスキャンドライバと、前記多数の画素回路にデータ電圧を印加するソースドライバと、前記液晶表示パネルの裏面に配置されたバックライト部に駆動電圧を印加する光源制御器とを備える液晶表示装置の駆動方法であって、
（ａ）前記ソースドライバから一定時間パルス波形の電圧を出力する段階と、
（ｂ）一定時間の経過後、前記ソースドライバからデータ電圧を出力する段階と、
（ｃ）前記液晶表示パネルに前記バックライト部の光源を印加する段階と、を備えたことを特徴とする。
【発明の効果】
【００２３】
本発明に係る液晶表示装置は、液晶に低いパルス波形の電圧にて高速でベンド転移させることができるという効果がある。
【００２４】
また、ソースドライバでパルス波形の転移電圧を印加することができるので、従来のような高電圧の印加に用いられたＤＣ−ＤＣコンバータを使用する必要がなく、その分、部品コストを節減する効果がある。更に、低い初期ベンド転移電圧を使用するので、消費電力が減少する効果がある。
【発明を実施するための最良の形態】
【００２５】
以下、添付の図面を参照して本発明の好適な実施例を詳細に説明する。図４は、本発明の実施例に係る低いパルス波形電圧にて初期ベンド配向を高速化するための液晶表示装置を示すブロック図である。
【００２６】
図４を参照すれば、本発明の実施例に係る液晶表示装置は、タイミング制御部１００と、スキャンドライバ２００と、ソースドライバ３００と、液晶表示パネル４００と、光源制御器５００と、バックライト部６００とを備える。
【００２７】
液晶表示パネル４００は、複数のスキャンラインＳ１〜Ｓｎと複数のデータラインＤ１〜Ｄｍとが交差する領域に形成された複数の画素回路４１０から構成される。複数の画素回路４１０については、図５に示す画素回路４１０を参照して説明する。
【００２８】
図５は、本発明の実施例に係る液晶表示装置のｎ×ｍ個の画素回路のうち代表的な画素回路を示す回路図である。
【００２９】
図５を参照すれば、各画素回路４１０は、スイッチングトランジスタＭＳ、液晶キャパシタＣLC及び蓄積キャパシタＣstから構成されている。スイッチングトランジスタＭＳのソース端子は、データラインＤｍに接続され、前記スイッチングトランジスタＭＳのゲート端子は、スキャンラインＳｎに接続される。前記スイッチングトランジスタＭＳは、ゲート電圧によりオンとなり、データ電圧を液晶キャパシタＣLCに伝達する。
【００３０】
液晶キャパシタＣLCは、画素電極、共通電極Ｃｏｍ及びこれら間のＯＣＢモード液晶層から構成され、前記スイッチングトランジスタＭＳを介して伝達されたデータ電圧は、画素電極に印加される。蓄積キャパシタＣstは、前記液晶キャパシタＣLCと並列で接続され、前記データ電圧を一定時間蓄積する役目をする。ＯＣＢモード液晶のベンド転移のために、液晶表示装置の駆動初期には、前記スイッチングトランジスタＭＳがオンとなると、データラインＤｍを介してパルス波形の転移電圧が前記画素電極に印加され、液晶がベンド転移される。ベンド転移完了後には、画像表示のためのデータ電圧が前記データラインＤｍを介して印加される。
【００３１】
更に、図４を参照すれば、スキャンドライバ２００は、複数のスキャンラインＳ１〜Ｓｎを介してゲート電圧を印加し、ソースドライバ３００は、複数のデータラインＤ１〜Ｄｍを介してデータ電圧を該当画素に印加することで、液晶表示パネル４００を駆動する。
【００３２】
初期ベンド転移がなされるまで、前記スキャンドライバ２００は、複数のスキャンラインＳ１〜Ｓｎを介してゲート電圧を続いて印加し、前記データドライバ３００は、複数のデータラインＤ１〜Ｄｍを介してパルス波形の転移電圧を印加する。この際、前記パルス波形の転移電圧は、ソースドライバ３００で一定の周期を持って一定の電圧の印加後、電圧をオフとすることで、生成することができる。前記一定の電圧は、現在ソースドライバ３００の場合、５Ｖ〜７Ｖである。したがって、ＯＣＢモードの液晶分子の初期に、従来より小さい電圧でパルス波形の転移電圧が印加されるので、液晶層の真中での液晶分子の傾斜角を９０゜に作る時間を高速化できる。
【００３３】
タイミング制御部１００は、液晶表示装置の初期起動時には、すなわち液晶がベンド転移されるまで一定の電圧（例えば約５Ｖ〜７Ｖ）が前記液晶の画素電極に印加されるように、ソースドライバ３００及びスキャンドライバ２００を制御する制御信号Ｓｄ、Ｓｇを印加する。液晶のベンド転移完了後には、前記タイミング制御部１００は、ソースドライバ３００及びスキャンドライバ２００から画像を表示するためのデータ電圧及び画素回路を選択するためのゲート電圧を出力するように、制御信号Ｓｄ、Ｓｇを印加する。また、タイミング制御部１００は、液晶のベンド転移完了後には、バックライト部６００を駆動するための光源制御信号Ｓｂを光源制御器５００に提供する。
【００３４】
光源制御器５００は、タイミング制御部１００から印加されるバックライト制御信号Ｓｂによって、液晶表示パネル４００の裏面に配置されたバックライト部６００を駆動するための所定の電圧を印加する。前記バックライト部６００は、フィールド順次駆動方式の場合、レッド、グリーン及びブルーの光を順次出力するレッドＬＥＤ、グリーンＬＥＤ及びブルーＬＥＤから構成されることができ、カラーフィルタを用いた駆動方式の場合、ホワイト光を出力するホワイトＬＥＤまたはＣＣＦＬ（Cold Cathode Fluorescence Lamp）であってもよい。カラーフィルタを用いた駆動方式の液晶表示装置の場合、各単位画素毎にレッド、グリーン及びブルーのカラーフィルタが共通電極上に位置する。
【００３５】
上述のように、本発明の実施例に係る液晶表示装置は、初期起動時に、高速で液晶をベンド転移させるために、ソースドライバ３００で５Ｖ〜７Ｖの低いパルス波形の転移電圧を液晶の画素電極に印加することによって、従来のように、高電圧を印加するための別途のＤＣ−ＤＣコンバータを使用しないので、その分、部品コストの節減効果があり、しかも、高電圧を使用しないので、消費電力を減少する効果をもたらす。
【００３６】
図６は、本発明の実施例に係る液晶表示装置における液晶の駆動過程を示すタイミング図である。
【００３７】
図６を参照すれば、本発明の実施例に係る液晶表示装置は、初期起動時に、液晶のベンド転移のために、前記ソースドライバ３００で一定の周波数を持ってパルス波形の電圧を転移電圧Ｖtbとして転移時間ＴｂのあいだデータラインＤ１〜Ｄｍを介して画素電極に印加する。前記パルス波形の最大電圧は、ソースドライバ３００の最大出力と関連して、５Ｖ〜７Ｖの電圧差を有することが好ましい。
【００３８】
液晶のベンド転移が完了した後、画像表示期間には、一般的な映像信号による波形のデータ電圧が印加され、バックライトを駆動することで、イメージ表示が行われる。図６に示すように、本発明に係る液晶表示装置は、液晶初期ベンド転移のために、低いパルス波形の電圧Ｖtbを液晶の両端の電極に印加することで、従来の液晶表示装置におけるＤＣ高電圧Ｖtaより低いパルス電圧Ｖtbにて従来の転移時間Ｔａより転移時間Ｔｂを低くすることができる。
【００３９】
図７は、本発明の実施例に係る液晶表示装置にパルス波形の転移電圧及びＤＣ形態の転移電圧を印加する時の液晶の状態変化を示す液晶状態図である。
【００４０】
図７を参照すれば、図７（ａ）は、パルス波形の電圧６Ｖを印加する時、すなわちオン電圧の時６Ｖ、オフ電圧の時０Ｖを０．５秒間５００Ｈｚの周波数で液晶に印加して、液晶の転移状態を観察したものである。図７（ａ）に示すように、６Ｖのパルス波形の電圧を印加する時、液晶表示パネルの全体液晶はベンド転移が完了した。ここで、パルス波形の電圧印加時間は、０．５秒間印加したが、従来の転移時間と同様に１秒間印加することもできる。したがって、前記パルス波形の転移電圧は、０．５秒〜１秒であることが好ましい。また、液晶表示パネル４００内のＴＦＴの周波数の場合、１００Ｈｚで駆動されるため、前記パルス波形の電圧は、５００Ｈｚ以下１００Ｈｚ以上の周波数であることが好ましい。
【００４１】
一方、図７（ｂ）は、ＤＣ電圧６Ｖを０．５秒間液晶に印加して、液晶の転移状態を観察したものである。６ＶのＤＣ電圧を印加する時、液晶表示パネルの全体液晶は、図７（ｂ）のように進行している。すなわち、図面において灰色部分１は、転移が進行中の部分であり、図面において符号２に示す部分２は、転移がなされていない部分であって、同一の電圧であるならば、ＤＣ電圧を印加するよりもパルス波形の電圧を印加する方が、液晶のベンド転移に一層速く到達することが理解される。
【００４２】
上述のように、パルス波形の電圧を印加する時、高速のベンド転移が可能な理由について図８を参照して説明する。
【００４３】
図８は、液晶のベンド転移のための転移電圧印加による液晶状態の変化図である。図８を参照すれば、左側の灰色部分は、スプレイ状態を示し、右側の黒色部分は、ベンド状態を示す。また、中間部分は、本発明の実施例に係る転移電圧をパルスタイプの波形として印加する時、オン電圧の印加時の液晶状態変化及びオフ電圧の印加時の液晶状態変化を示すものである。
【００４４】
ＯＣＢモードでベンド転移のためには、一定のエネルギーレベルを越えてスプレイ状態からベンド状態に転移がなされる。このようにスプレイ状態からベンド状態に転移するためには、不連続的なエネルギー区間を通らなければならない。ＤＣ電圧を液晶に印加する時、前記不連続的なエネルギーレベルを越えるためには、極めて高い転移電圧及び転移時間が要求される。したがって、従来の液晶表示装置は、ＤＣ高電圧を液晶に印加した。
【００４５】
しかしながら、パルス波形のオン電圧の印加時、図８に示すように、初期転移核が形成され、オフ電圧の印加時、ベンド転移された部分の一部がさらにスプレイ状態に戻る瞬間、再びオン電圧が印加されるので、ベンド成長の側面から、ＤＣ電圧よりパルス波形の電圧印加が有利となるので、低い電圧で初期ベンド転移が可能である。
【００４６】
上述のように、ＤＣ電圧の印加時には、図８の中間部分であるベンド成長境界面において極めて高い電圧が要求されるので、成長速度が遅いのに対して、パルス波形の電圧の印加時には、オフ電圧の印加後、オン電圧の印加時、このような境界面での不連続的なエネルギーがＤＣ電圧の印加時より相対的に低くなる傾向を示す。
【００４７】
以上説明したように、本発明の実施例に係る液晶表示装置は、液晶の両端に５Ｖ〜７Ｖの低いパルス波形の電圧を印加することによって、高速でベンド転移させることができることはもちろん、ソースドライバでパルス波形の転移電圧を印加することができるので、従来のような高電圧の印加に用いられたＤＣ−ＤＣコンバータを使用する必要がなく、その分、部品コストの節減効果があり、且つ、低い電圧を使用するので、消費電力が減少する効果がある。
【００４８】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【産業上の利用可能性】
【００４９】
液晶表示装置の部品コストの低減、省電力化を図る上で極めて有用である。
【図面の簡単な説明】
【００５０】
【図１】一般的なＯＣＢモードの動作を説明するための液晶状態図である。
【図２】液晶をベンド配向させるのに必要な転移電圧と転移時間の関係を示す特性図である。
【図３】従来の液晶表示装置の液晶に印加される電圧差に対する波形を示すタイミング図である。
【図４】本発明の実施例に係る低いパルス波形電圧で初期ベンド配向を高速化するための液晶表示装置を示すブロック図である。
【図５】本発明の実施例に係る液晶表示装置のｎ×ｍ個の画素回路のうち代表的な画素回路を示す回路図である。
【図６】本発明の実施例に係る液晶表示装置の液晶の駆動過程を示すタイミング図である。
【図７】本発明の実施例に係る液晶表示装置にパルス波形の転移電圧及びＤＣ形態の転移電圧を印加する時の液晶の状態変化を示す液晶状態図である。
【図８】液晶のベンド転移のための転移電圧印加による液晶状態の変化図である。
【符号の説明】
【００５１】
１００  タイミング部
２００  スキャンドライバ
３００  ソースドライバ
４００  液晶表示パネル
４１０  画素回路
５００  光源制御器
６００  バックライト部
【図１】
2006171679.tif 000003
【図２】
2006171679.tif 000004
【図３】
2006171679.tif 000005
【図４】
2006171679.tif 000006
【図５】
2006171679.tif 000007
【図６】
2006171679.tif 000008
【図７】
2006171679.tif 000009
【図８】
2006171679.tif 000010